(57)【要約】【課題】監視している設備の異常が発生、または異常から復帰した場合など状態変化が発生した場合に、メッセージ表示された一覧から、容易、且つ、確実な操作で当該状態の変化を迅速に把握することが可能なチャート（図示）を表示することができる監視制御システムを提供すること。【解決手段】表示量の大きい状変メッセージ一覧から、選択したメッセージと同一内容のメッセージのみを時系列で図示するための手段を有する監視制御装置を提供する。ＨＭＩ装置に表示されたメッセージ一覧を確認しながら、必要と判断した任意のメッセージをマウス等により選択し、図示操作を実施することにより、チャートを表示するようにした。【選択図】        図６
2009303462.tif 000002
【特許請求の範囲】
【請求項１】
１又は複数の監視制御対象から取得された状態情報信号に基づき前記監視制御対象の状態変化を検出し、前記監視制御対象を特定する情報に加えて少なくとも状態変化の発生日時及び状態情報を含む文字列で記載されたメッセージの一覧からなる状態変化リストを監視制御対象の状態変化の履歴として作成するとともに、前記検出した状態変化に応じて前記監視制御対象への制御信号を出力する演算部と、
前記状態変化リストを表示可能な表示部を有するヒューマンマシンインターフェース装置と、
を備えた電力設備の監視制御システムであって、
前記演算部は、前記表示部にて表示された前記状態変化リストの中から前記ヒューマンマシンインターフェース装置を介して選択されたメッセージに対して、この選択されたメッセージに含まれる監視制御対象と同一の監視制御対象が含まれるメッセージを前記状態変化リストから検索して抽出し、これらの選択及び抽出されたメッセージをもとに、前記選択されたメッセージに含まれる監視制御対象について、当該監視制御対象の状態の時間変化をチャート表示することを特徴とする監視制御システム。
【請求項２】
前記状態変化リストの中から選択されたメッセージは複数であり、前記演算部は、これらの複数のメッセージに対応する複数の監視制御対象についての状態の時間変化をチャート表示することを特徴とする請求項１に記載の監視制御システム。
【請求項３】
前記チャート表示においては、前記選択されたメッセージに含まれる発生日時情報のうち一番古い発生日時を、前記チャート表示された時間軸の一端、他端、又は中央に設定して表示することを特徴とする請求項１または２に記載の監視制御システム。
【請求項４】
前記チャート表示では、第１のスクロールバーが設けられており、この第１のスクロールバーを用いて、時間の表示範囲を変更することができることを特徴とする請求項１〜３のいずれか１項に記載の監視制御システム。
【請求項５】
前記チャート表示では、第２のスクロールバーが設けられており、この第２のスクロールバーを用いて、前記時間軸の表示倍率を拡大又は縮小できることを特徴とする請求項４に記載の監視制御システム。
【発明の詳細な説明】
【技術分野】
【０００１】
本発明は、変電所などの監視対象を有するプラント等に設置される監視制御システムに関する。
【背景技術】
【０００２】
監視制御システムは、電力の安定供給に必要な変電所等における重要設備を監視対象として常時監視している。監視制御システムの監視結果は、異常の発生、復帰履歴等であり、これらの過去の蓄積データを使用して保守や、統計的分析にも使用されるが、最も重要な目的は、この監視結果に基き運用者が必要な対処を迅速に実施し、その影響範囲を最小限にすることである。特に、監視対象である当該設備に何らかの異常発生した場合には、運用者に異常の発生を通知すると共に、その詳細情報を的確・迅速に提供する責務がある。
【０００３】
従来の監視制御システムでの監視方法は、監視対象に異常が発生した際に、当該設備の有する異常警報接点情報を取得したり、当該設備から出力される電流や電圧等を取り込み、システム内部であらかじめ設定した値と比較して、逸脱を検出し異常を検出することにより運用者に警報を出すと共に、システムのＨＭＩ（Human Machine Interface：ヒューマンマシンインターフェース）装置に監視対象の状態変化をシンボルの変化として表示し、及び、その内容をテキストメッセージとして一覧表示することにより、異常について運用者に伝達する。
【０００４】
監視制御システムでは、異常状態の発生、及び通常状態への復帰などの状態変化（以下、状変と称す）の情報を状変記録として記録し、当該状変の発生時刻と異常発生設備が特定できるようなメッセージ、及び、状変の状態（発生／復帰）を構成要素として対（セット）で保存、また画面表示している。
【０００５】
従来の監視制御システムでの監視方法の例として、特許文献１では、プラントの故障状態を表示する故障表示方式について記載されている。また、特許文献２では、プラントの状態監視の結果表示を行う警報表示装置について記載されている。
【０００６】
【特許文献１】特開昭５８−２９０１２号公報
【特許文献２】特開２００２−３７３０２１号公報
【発明の開示】
【発明が解決しようとする課題】
【０００７】
上述のように、従来の監視制御システムでは、状変記録を、その変化の発生時刻と異常発生設備が特定できるようなテキストメッセージ（以下、メッセージともいう）、及び、状変の状態（発生／復帰）を構成要素として対（セット）で保存、また画面表示している。事故等により、監視対象に状変が発生した場合、この記録（メッセージリスト）は、その事故の発生経緯から事故原因を分析する目的で使用されるため、特定の設備に関するメッセージ、そのメッセージの発生した時間と復帰した時間、関連内容のメッセージを探すことが多いが、一般的に事故や異常が発生した場合には、複数の状変が発生すること、更に、メッセージリストは過去からの履歴記録であり、関連内容のメッセージだけでなく、それ以外のメッセージも多数あることから、これらの作業は容易ではない。
【０００８】
更に、ＨＭＩ装置に表示されるメッセージは文字情報であり、極力多くの情報を提供すべく一覧表にして表示されるため、運用者が文字列を区別し、目的のメッセージを探すのに時間を要する。また、事故や異常時といった通常とは異なる緊迫した環境下に於ける緊急対応により、見落としや類似文字列との誤認が発生する可能性がある。
【０００９】
また、電力設備の監視において、電流および電圧の波形を記録する装置（波形記録装置）が存在するが、高速、且つ、定周期のサンプリングタイミングによる記録方法であり、物理的な記録容量制限から、記録する信号と記録を保存するためのトリガを予め指定しておくことが必要であり、複数の故障を想定した信号を取り混ぜて記録する必要があった。更に表示に於いては指定された全信号を表示することから、解析の際に必要な信号以外も含まれており、解析がしづらいといった問題があった。
【００１０】
また、特許文献１では、表示切替操作装置の操作により所定の時間分や任意時刻からのトレンド表示を可能とする方法が記載されているが（同文献、第６図参照）、この方法の場合、警報メッセージを表示するＨＭＩ装置と、表示切替操作装置とが分離されており、操作の一貫性に欠け、類似文字が並んだ状変一覧と見比べながらの操作が要求されることから、運用者の操作ミスを誘発しやすいこと、また、ある時刻範囲での表示となることにより、運用者が必要とする以外の情報も含まれることから、最適な表示とはならない。
【００１１】
また、特許文献２では、履歴表示画面を備えた警報表示装置について記載されているが（同文献、第２４図参照）、運用者が必要とするメッセージのみを表示することについての記載がなく、段落１１９に記載の履歴テーブルからの情報を表示する内容となっていることから、運用者がその時点で必要とする以外の警報内容も表示されてしまい、解析が困難になる。また、段落３９では、警報状態保存手段に、現在の警報項目を任意に指定して保存させる任意保存指定手段を備えること、及び、その保存内容を表示手段により表示することについての記載があるが、これについても、一旦保存作業を実施した後に、再度、表示対象を選択するという２段階の手順となること、また、その具体的操作については、記載していない。
【００１２】
以上、纏めると、従来の監視制御システムのＨＭＩ装置では、当該システムによる状態監視対象の状変の発生／復帰履歴の表示方法において、当該情報を示すテキストメッセージを、状変時間や、その時間に於ける状態を一覧表にして表示する方法を採用している。しかしながら、この方法は、できるだけ多数の記録を効率よく表示することには適しているが、監視対象とその状態といった必要とする内容を必ず文字（テキスト）で表現していることから、知りたい監視対象やその変化の動向を時系列で把握しにくく、また、それに対してテキストメッセージを時系列で図示するという方法があるものの、必要とする状変項目のみを、容易、且つ、確実に短時間で図示できない、といった問題点があった。
【００１３】
この発明は、上述の課題を解決するためになされたもので、監視している設備の異常が発生、または異常から復帰した場合など状態変化が発生した場合に、メッセージ表示された一覧から、容易、且つ、確実な操作で当該状態の変化を迅速に把握することが可能なチャート（図示）を表示することができる監視制御システムを提供することを目的とする。
【課題を解決するための手段】
【００１４】
上述した課題を解決し、目的を達成するために、本発明に係る監視制御システムは、１又は複数の監視制御対象から取得された状態情報信号に基づき前記監視制御対象の状態変化を検出し、前記監視制御対象を特定する情報に加えて少なくとも状態変化の発生日時及び状態情報を含む文字列で記載されたメッセージの一覧からなる状態変化リストを監視制御対象の状態変化の履歴として作成するとともに、前記検出した状態変化に応じて前記監視制御対象への制御信号を出力する演算部と、前記状態変化リストを表示可能な表示部を有するヒューマンマシンインターフェース装置と、を備えた電力設備の監視制御システムであって、前記演算部は、前記表示部にて表示された前記状態変化リストの中から前記ヒューマンマシンインターフェース装置を介して選択されたメッセージに対して、この選択されたメッセージに含まれる監視制御対象と同一の監視制御対象が含まれるメッセージを前記状態変化リストから検索して抽出し、これらの選択及び抽出されたメッセージをもとに、前記選択されたメッセージに含まれる監視制御対象について、当該監視制御対象の状態の時間変化をチャート表示することを特徴とする。
【発明の効果】
【００１５】
本発明においては、１又は複数の監視制御対象の状態変化の履歴の一覧である状態変化リストをヒューマンマシンインターフェース装置にて表示し、この状態変化リストの中から選択されたメッセージに含まれる監視制御対象に関して、その状態の時間変化をチャート表示することができるので、容易な操作で、確認が必要と判断した選択された監視制御対象のみについてチャート表示することができ、状態変化の発生時間、状態変化の前後の状態の視認性が向上し、状態変化の履歴を瞬時に目視でき、且つ、確実に把握・理解が可能となるという効果がある。また、その結果、監視異常への対応が迅速に実施できるなど、状態変化に対する次の対応を迅速にとることができ、例えば、事故の波及を最小限に抑えるといった監視対象設備運用の効果がある。
【００１６】
また、運用者によりメッセージ選択された際に、そのメッセージ内容から当該監視制御対象を認識し、状態変化リストの中から、同一内容、あるいは、同一監視制御対象に関するメッセージを自動的に検索・抽出し、図示することにより、運用者のメッセージを選択する作業が削減されると共に、運用者の対応時間の削減と操作ミスを防止することができるという効果がある。
【発明を実施するための最良の形態】
【００１７】
以下に、本発明に係る監視制御システムの実施の形態を図面に基づいて詳細に説明する。なお、この実施の形態によりこの発明が限定されるものではない。
【００１８】
実施の形態１．
図１は、この発明の実施の形態１に係る監視制御システムの構成図である。図１に示すように、本実施の形態に係る監視制御システム１００は、監視制御対象１０１との間で信号の入出力がなされる信号入力部１０２及び信号出力部１０３と、信号入力部１０２を経由して入力された監視制御対象１０１からの情報を用いて加工・演算等を行う演算部１０４と、外部装置（図示せず）との間でデータの送受信を行う通信部１０５と、演算部１０４の処理結果を表示し又は運転者の操作指示を演算部１０４に伝達するためのＨＭＩ装置１０６と、プログラムや各種データ等を記録する記録装置１０７と、監視制御対象１０１の状態に応じて警報を発する警報装置１０８と、印刷手段としての印字装置１０９と、を備えている。監視制御システム１００は、信号入力部１０２を介して監視制御対象１０１の情報を取り込み、ＨＭＩ装置１０６へ表示出力すると共に、必要に応じて、信号出力部１０３を介して監視制御対象１０１への制御出力を実施する。なお、監視制御対象１０１は一般に複数であるが、図１では図示を簡略化して描いている。
【００１９】
演算部１０４は、信号入力部１０２を経由して入力された情報から、監視制御対象１０１の状態変化（以下、状変と称す）の検出、及び異常の判定等を実施する。
【００２０】
ＨＭＩ（Human Machine Interface：ヒューマンマシンインターフェース）装置１０６は、演算部１０４からシステム運用者（以下、運用者と称す）への状変情報等の表示と、これとは逆方向の運用者から演算部１０４への指示、たとえば、ＨＭＩ装置１０６への表示要求、印字装置１０９への印刷要求、警報装置１０８への警報停止要求、監視制御対象１０１への制御出力要求等を実施するために使用され、そのための入力機器、たとえば、マウス、キーボードを備えている。ＨＭＩ装置１０６は、表示画面、マウス、キーボード等の操作装置を含み、表示・操作用端末としての機能を備える。
【００２１】
記録装置１０７は、監視制御システム１００の機能を実現するために演算部１０４で動作するプログラムや、各種設定データの他、監視制御対象１０１からの入力情報、演算部１０４での判定結果等を保存している。
【００２２】
また、監視制御システム１００で保有している情報を他の装置（図示せず）若しくは上位装置（図示せず）へ送信する場合、又は他の装置若しくは上位装置から制御指令を受信する場合など、通信部１０５を用いてデータの送受信が行われる。
【００２３】
次に、本実施の形態の動作について図５、図６を参照して説明する。図５は、本実施の形態の制御監視システムにおいて、状変発生時にチャート表示を実施する際の処理及び操作のフローチャートである。また、図６は、本実施の形態の監視制御システムにおいて、状変発生時にチャート表示を実施する際の画面表示を示す図である。
【００２４】
図５に示すように、まず、監視制御対象１０１で異常等の状変が発生すると（Ｓ４０１）、監視制御対象１０１の状態情報は信号入力部１０２を経由して入力され、演算部１０４に二値信号（１又は０）として通知される。
【００２５】
演算部１０４では、予め保持している監視制御対象１０１についての直近の状態情報との比較を行うことにより、取り込まれた信号の値又は状態が変化したことを検出すると共に、信号の値により、異常発生（たとえば、信号が１の場合）か、又は復帰状態（たとえば、信号が０の場合）か、を判断する（Ｓ４０２）。
【００２６】
状変が検出されると、演算部１０４は、検出した状態情報に基づき、過去に得られた状変情報と共に検出された状変情報を一覧とした状変リストを作成し（Ｓ４０３）、記録装置１０７に保存する。また、演算部１０４の判定結果に基づき、異常発生時などには警報装置１０８により警報を発することで運用者に通報する他、ＨＭＩ装置１０６への表示出力により運用者へ当該内容を通知する（Ｓ４０４）。また、状変情報の印字装置１０９への出力、通信部１０５を経由した外部装置への通知などを実施することができる。
【００２７】
上記にて通知を受けた運用者は、ＨＭＩ装置１０６に表示される状変リストにより、通知の詳細内容を確認することができる。そこで、運用者はＨＭＩ装置１０６に対して状変リストの表示要求を行う（Ｓ４０５）。演算部１０４は、運用者からの状変リストの表示要求を受け、記録装置１０７にて保存された状変情報を取得し、ＨＭＩ１０６装置への状変リストの表示を実施する（Ｓ４０６）。図２は、ＨＭＩ装置１０６に表示された状変リストの一例を示す図である。図２に示すように、状変リスト２０１は、時系列に配列された状変情報の一覧であり、リスト番号（Ｎｏ．）で指定される各メッセージ（すなわち、各状変情報）について、たとえば、発生日時、詳細な内容、及び状態が表示されている。
【００２８】
次に、運用者は、状変リスト２０１の内容を確認しこの中から、解析が必要なメッセージを選択する（Ｓ４０７）。たとえば、図６に示すように、解析が必要なメッセージをマウスカーソル２０８により選択し、これにより選択確認のためにメッセージが色変する。なお、図６では、リスト番号２０２（Ｎｏ．）ごとにメッセージ（状変）が時間順に一覧となって表示されている。運用者によって選択されたＮｏ．＝１１０のメッセージには、状変の発生日（年月日）２０３及び状変の発生時刻（時分秒ミリ秒）２０４からなる発生日時、状変の内容２０５とともに、状態が動作状態２０６であることを示す情報が含まれている。なお、状変の内容２０５は、監視制御対象１０１を特定する情報である。
【００２９】
続いて、運用者は、チャート表示釦２０９をマウスでクリックする（Ｓ４１１）。これにより、演算部１０４は、状変リストから当該選択されたメッセージの内容２０５と同一の内容のメッセージを検索し（Ｓ４１２）、該当するすべてのメッセージを抽出するまでこの動作を繰り返す（Ｓ４１３）。そして、演算部１０４は、検索処理が完了すると、選択及び抽出されたメッセージ（状変情報）を、ＨＭＩ装置１０６の表示画面にチャート表示する（Ｓ４１４）。
【００３０】
そして運用者は、チャート表示にて、信号を視認することができる（Ｓ４１５）。つまり、選択及び抽出された状変情報をもとに、チャート上にて解析対象の状態（信号）の時間変化を表示することで、状変の時間変化の動向を視認することができる。これにより、運用者は、監視制御対象１０１に対する必要な処置を実施することができる（Ｓ４１０）。すなわち、運用者が監視制御対象１０１に対する必要な処置をＨＭＩ装置１０６から入力すると、演算部１０４はこの入力に応じた制御出力を監視制御対象１０１へ出力する。具体的には、状変の詳細内容や、発生順序、時間的経緯を把握し、その内容に応じて監視制御対象１０１に対してＨＭＩ装置１０６経由で、たとえば、停止制御等の適切な処置をとる。ＨＭＩ装置１０６から実施された停止制御指令は、演算部１０４にてインターロック等、必要な判定を実施した後、信号出力部１０３から、監視制御対象１０１へ出力される。
【００３１】
図７は、本実施の形態の監視制御システム１００によるチャート表示２１０の一例を示す図であり、図６の画面にてチャート表示を実施した場合の図に相当する。図７に示すように、チャート表示２１０においては、選択されたメッセージ（Ｎｏ．１１０）の内容２０５Ｇ（図６では、内容２０５）、具体的には「ｘｘ回線  １Ｌ  ４４Ｓ−３」である監視対象について、選択されたメッセージ（Ｎｏ．１１０）の状態である動作状態２０６Ｇ（図６では、動作状態２０６）と、抽出されたメッセージ（Ｎｏ．１１５）の状態である復帰状態２０７Ｇ（図６では、復帰状態２０７）とを、それぞれの発生日時に対して図示している。すなわち、選択された監視対象の状態の時間変化を表示するものであり、例えば横軸として時間軸及び縦軸として状態を表す信号軸を設定し、状変が発生した日時や状変の前後での状態についてチャート表示している。
【００３２】
チャート表示２１０には、発生日（年月日）を示す時間軸２０３Ｇと、発生時刻（時分秒）を示す時間軸２０４Ｇｂと、発生時刻（ミリ秒（msec））を示す時間軸２０４Ｇａとがそれぞれ表示されている。図示例では、状変の発生はミリ秒単位で記録されることから、時間軸２０４Ｇａについてのみ表示範囲を設定した座標表示を行い、時間軸２０４Ｇｂ、時間軸２０３Ｇ、については時間軸２０４Ｇａの表示範囲の始点（左端）に相当する発生時刻（時分秒）、発生日（年月日）を表示し、視認性を容易にしている。このようなチャート表示２１０により、視認性が向上し、状変前後の状態の特定など状態の時間変化が、一目で判断できる。
【００３３】
チャート化に当たって、チャート表示の初期画面（後述するスクロールバーを使用して表示範囲を変更しない状態の画面）では、選択されたメッセージの発生日時がチャート表示された時間軸２０４Ｇａの左端に位置するようにして表示される。すなわち、運用者が選択した状変を時間軸の表示範囲の始点（左端）とし、選択した状変以後に発生した状変が、選択した状変より右側に表示される。なお、選択した状変の発生日時が、時間軸の表示範囲の中央や右端（終点）に位置するように設定することも可能である。例えば右端に位置するように設定すると、選択した状変以前の状変が、選択した状変より左側に表示される。また、中央に位置するように設定すると、選択した状変前後の状変の動向が容易に視認できる。
【００３４】
チャート表示２１０には、時間軸２０３Ｇ、２０４Ｇａ、２０４Ｇｂに加えて、スクロールバー２１１が設けられている。このスクロールバー２１１は、表示時間の範囲が長時間に亘り画面内に表示できないケースでは自動的に表示され、これを用いて必要な箇所をスクロールして確認することが可能である。また、スクロール範囲が大きい場合には、更に視認性向上のために、第二のスクロールバー２１２にて時間軸の表示倍率を拡大、または縮小を行うことが可能である。
【００３５】
このチャート化により、運用者は、状変リストにある多数のメッセージをすべて確認する前に、状変の動向を一目で把握できる。
【００３６】
次に、従来の監視制御システムについて説明する。図３は、従来の監視制御システムにおける状変リストを用いた運用者の作業の一例を示す図、図４は、従来の監視制御システムにおいて、状変発生時の動作と運用者の操作の一例を示すフローチャートである。まず、図４について説明する。
【００３７】
図４では、Ｓ４０１〜Ｓ４０７については図５と同様なので説明は省略する。Ｓ４０８から説明すると、運用者は、表示された状変リストの中から解析が必要なメッセージを選択し、これをメモに転記する（Ｓ４０８）。続いて、運用者は、転記したメッセージから状況を把握し（Ｓ４０９）、監視制御対象１０１に対して必要な処置を実施する（Ｓ４０１）。
【００３８】
図３は、図４のＳ４０８，Ｓ４０９の具体例を示すものであり、運用者が、状変に対して必要な処置を実施するために、状変リストをもとに、必要なメッセージを抜き出して作成した運用者メモ３０１を示している。これは、状変リストのメッセージには、その時点で必要なものだけではなく、さまざまな種類のものが混在していることから、運用者の経験により、必要なものだけを抽出して解析するためである。図３の例では、６件のメッセージを抜き出して運用者メモ３０１に転記し、更に、そのなかの２件のメッセージから運用者メモ３０２にて時間の差分を手計算している。
【００３９】
このように、従来の監視制御システムにおいては、運用者が文字列を区別し、目的のメッセージを探すため作業に時間を要する他、見落としや類似文字列との誤認が発生する可能性があるなどの問題がある。
【００４０】
以上説明したように、本実施の形態においては、監視制御システム１００による監視制御対象１０１の監視結果として、文字列又はテキストメッセージ表示された状変履歴の一覧である状変リストをＨＭＩ装置１０６にて表示し、この状変リストの中から解析対象とする一のメッセージを例えばマウス等により直接選択し図示指示することにより、選択されたメッセージと同一の内容のメッセージが演算部１０４により状変リストから抽出され、これらの選択及び抽出されたメッセージをもとに、選択されたメッセージの内容、すなわち監視対象に関して、その状態の時間変化をチャート表示することができる。これにより、容易な操作で、確認が必要と判断した内容のみについてチャート表示することができ、状変の発生時間、状変前後の状態（例えば、発生側なのか、復帰側なのかなど）の視認性が向上し、状態変化の履歴を瞬時に目視でき、且つ、確実に把握・理解が可能となるという効果がある。また、その結果、監視異常への対応が迅速に実施できるなど、状変に対する次の対応を迅速にとることができ、例えば、事故の波及を最小限に抑えるといった監視対象設備運用の効果がある。
【００４１】
また、運用者によりメッセージ選択された際に、そのメッセージ内容から当該監視対象を認識し、状変リストの中から、同一内容、あるいは、同一監視対象に関するメッセージを自動的に検索・抽出し、図示することにより、運用者のメッセージを選択する作業が削減されると共に、運用者の対応時間の削減と操作ミスを防止することができるという効果がある。
【００４２】
実施の形態２．
実施の形態１では、状変リストで単一のメッセージを選択して監視対象を一つ選択するようにしたが、本実施の形態では、状変リストで複数のメッセージを、マウス等を使用して同時に選択した場合のものである。
【００４３】
図８は、本実施の形態において、状変発生時にチャート表示を実施する際の画面表示を示す図である。図８に示すように、マウスカーソル２０８ａ〜２０８ｎにより複数のメッセージ、具体的には、リスト番号１１０，１１１，１１３〜１１６のメッセージが同時に選択されている。運用者は、これらの複数のメッセージを選択した後に、チャート表示釦２０９をマウスでクリックすることによりチャート表示をさせることができる。
【００４４】
図９は、本実施の形態の監視制御システムによるチャート表示２１０の一例を示す図であり、図８の画面にてチャート表示を実施した場合の図に相当する。図８に示すように、状変リストで選択されたメッセージ内容のチャート表示２０８Ｇａ〜２０８Ｇｎがそれぞれ表示されている。この場合には、選択された状変のうち、発生日時の一番古いものの発生日時がチャート表示された時間軸の左端に位置するように表示している。なお、実施の形態１で説明したように、その他の時間軸設定も可能である。
【００４５】
このようにすれば、選択した複数の関連する信号間の状変タイミングが一目で視認できるため、更に、信号間の変化タイミングが容易に把握できるという効果がある。なお、本実施の形態のその他の構成、動作、及び効果は、実施の形態１と同様である。
【産業上の利用可能性】
【００４６】
本発明は、変電所など監視制御対象が存在するプラント等に設置され、監視対象で発生する故障等のイベントをＨＭＩ(Human Machine Interface)上にリスト形式で表示する監視制御システムに有用である。
【図面の簡単な説明】
【００４７】
【図１】実施の形態１に係る監視制御システムの構成図である。
【図２】ＨＭＩ装置に表示された状変リストの一例を示す図である。
【図３】従来の監視制御システムにおける状変リストを用いた解析方法の一例を示す図である。
【図４】従来の監視制御システムにおいて、状変発生時の動作と運用者の操作の一例を示すフローチャートである。
【図５】実施の形態１の監視制御システムにおいて、状変発生時にチャート表示を実施する際の処理及び操作のフローチャートである。
【図６】実施の形態１の監視制御システムにおいて、状変発生時にチャート表示を実施する際の画面表示を示す図である。
【図７】実施の形態１の監視制御システムによるチャート表示の一例を示す図である。
【図８】実施の形態２の監視制御システムにおいて、状変発生時にチャート表示を実施する際の画面表示の一例を示す図である。
【図９】実施の形態２の監視制御システムによるチャート表示の一例を示す図である。
【符号の説明】
【００４８】
１０１  監視制御対象
１０２  信号入力部
１０３  信号出力部
１０４  演算部
１０５  通信部
１０６  ＨＭＩ装置
１０７  記録装置
１０８  警報装置
１０９  印字装置
２０１  状変リスト
２０２  リスト番号
２０３  発生日（年月日）
２０３Ｇ  時間軸
２０４  発生時刻（時分秒ミリ秒）
２０４Ｇａ  時間軸
２０４Ｇｂ  時間軸
２０５  状変の内容
２０５Ｇ  チャート表示された状変の内容
２０６  状変の動作状態
２０６Ｇ  チャート表示された状変の動作状態
２０７  状変の復帰状態
２０７Ｇ  チャート表示された状変の復帰状態
２０８，２０８ａ〜２０８ｎ  マウスカーソル
２０８Ｇａ〜２０８Ｇｎ  状変リストで選択されたメッセージ内容のチャート表示
２０９  チャート表示釦
２１０  チャート表示
２１１，２１２  スクロールバー
３０１，３０３  運用者メモ
【図１】
2009303462.tif 000003
【図２】
2009303462.tif 000004
【図３】
2009303462.tif 000005
【図４】
2009303462.tif 000006
【図５】
2009303462.tif 000007
【図６】
2009303462.tif 000008
【図７】
2009303462.tif 000009
【図８】
2009303462.tif 000010
【図９】
2009303462.tif 000011
【手続補正書】
【提出日】平成21年1月9日(2009.1.9)
【手続補正１】
【補正対象書類名】明細書
【補正対象項目名】００１０
【補正方法】変更
【補正の内容】
【００１０】
また、特許文献１では、表示切替操作装置の操作により所定の時間分や任意時刻からのトレンド表示を可能とする方法が記載されているが（同文献、第５図参照）、この方法の場合、警報メッセージを表示するＨＭＩ装置と、表示切替操作装置とが分離されており、操作の一貫性に欠け、類似文字が並んだ状変一覧と見比べながらの操作が要求されることから、運用者の操作ミスを誘発しやすいこと、また、ある時刻範囲での表示となることにより、運用者が必要とする以外の情報も含まれることから、最適な表示とはならない。